(57)【特許請求の範囲】
【請求項１】
加入者端末機とインターフェーシングするための第１インターフェースと、
交換局装置とインターフェーシングするための第２インターフェースと、
前記加入者端末機との通信接続状態を検出して、検出結果信号を出力する加入者端末機接続状態検出手段と、
前記加入者端末機と前記交換局装置との間のデータ通信を処理し、前記加入者端末機接続状態検出手段から非接続信号が入力されれば前記第２インターフェースの動作が中止されるように前記第２インターフェースを制御する制御部とを具備し、
前記加入者端末機接続状態検出手段は、前記加入者端末機からデータ伝送速度一致のための同期信号が入力されるかを検出し、前記同期信号の非入力状態が設定された時間に達すれば、前記非接続信号を発し、
前記第１インターフェースは、ＵＳＢ、ＰＮＡ、ブルートゥース、ホームＲＦのうちいずれか一つの通信方式で前記加入者端末機とインターフェーシングできるようになった
ことを特徴とするモデム。
【請求項２】
本体の外側に設けられた接続状態表示用発光素子と、電源から前記発光素子への電力供給をオン/オフスイッチングするようになるスイッチ素子をさらに備え、前記スイッチ素子は前記加入者端末機接続状態検出手段から出力された信号に応じて前記発光素子をオン/オフ駆動させることを特徴とする請求項１に記載のモデム。
【請求項３】
前記第１インターフェースは、前記加入者端末機との通信インターフェースに対するインピーダンスを整合させるためのマッチング回路部を備えることを特徴とする請求項１に記載のモデム。
【請求項４】
前記交換局装置はＡＴＭ交換局装置であり、前記第２インターフェースは、前記制御部または前記ＡＴＭ交換局装置の各々で求めるフレーム形式に適するように受信されたＡＴＭセル（信号）を変換して該当伝送経路に出力するモデム信号処理部と、前記モデム信号処理部から受信されたデジタル信号をアナログ信号に変換して前記ＡＴＭ交換局装置に出力し、前記ＡＴＭ交換局装置から受信されたアナログ信号をデジタル信号に変換して前記モデム信号処理部に出力するモデム信号送受信部とを備えることを特徴とする請求項３に記載のモデム。
【請求項５】
前記加入者端末機から引き出された通信ケーブルを前記第１インターフェースと接続するためのコネクタが本体の引込溝上に設けられており、前記加入者端末機接続状態検出手段は、前記通信ケーブルが前記コネクタに整合される時に前記通信ケーブルにより干渉されうるように前記引込溝上に設けられ前記加入者端末機の通信接続状態を検出するようになったことを特徴とする請求項１に記載のモデム。
【請求項６】
前記第２インターフェースは前記制御部から動作中止信号が入力されれば、前記交換局装置とチャンネルを維持するための信号の発生を中断することを特徴とする請求項１に記載のモデム。
【請求項７】
電源と前記第２インターフェースとの間の電力供給経路上に設けられたスイッチ素子を備え、前記制御部は前記非接続信号が入力されれば前記スイッチ素子がオフされるように制御することを特徴とする請求項１に記載のモデム。
【請求項８】
加入者端末機とインターフェーシングするための第１インターフェースと、
交換局装置とインターフェーシングするための第２インターフェースと、
前記加入者端末機と前記交換局装置とのデータ通信を処理する制御部と、
前記加入者端末機との通信接続状態を検出し、検出結果に基づき接続または非接続信号を出力する加入者端末機接続状態検出手段と、
前記接続または非接続信号の入力に応じて電源から前記第２インターフェースへの電力供給をオン/オフするようになったスイッチ素子とを具備し、
前記加入者端末機接続状態検出手段は、前記加入者端末機からデータ伝送速度一致のための同期信号が入力されるかを検出し、前記同期信号の非入力状態が設定された時間に達すれば、前記非接続信号を発し、
前記第１インターフェースは、ＵＳＢ、ＰＮＡ、ブルートゥース、ホームＲＦのうちいずれか一つの通信方式で前記加入者端末機とインターフェーシングできるようになった
ことを特徴とするモデム。
【請求項９】
本体の外側に設けられた接続状態表示用発光素子と、電源から前記発光素子への電力供給をオン/オフスイッチングするようになったスイッチ素子をさらに備え、前記スイッチ素子は前記加入者端末機接続状態検出手段から出力された信号に応じて前記発光素子をオン/オフ駆動させることを特徴とする請求項８に記載のモデム。
【請求項１０】
前記第１インターフェースは、前記加入者端末機との通信インターフェースに対するインピーダンスを整合させるためのマッチング回路部を具備することを特徴とする請求項９に記載のモデム。
【請求項１１】
前記交換局装置はＡＴＭ交換局装置であり、前記第２インターフェースは、前記制御部または前記ＡＴＭ交換局装置の各々で求めるフレーム形式に適するように受信されたＡＴＭセル（信号）を変換して該当伝送経路に出力するモデム信号処理部と、前記モデム信号処理部から受信されたデジタル信号をアナログ信号に変換して前記ＡＴＭ交換局装置に出力し、前記ＡＴＭ交換局装置から受信されたアナログ信号をデジタル信号に変換して前記モデム信号処理部に出力するモデム信号送受信部とを備えることを特徴とする請求項１０に記載のモデム。
【請求項１２】
加入者端末機とインターフェーシングするための第１インターフェースと、
交換局装置とインターフェーシングするための第２インターフェースと、
前記加入者端末機と前記交換局装置との間のデータ通信を処理する制御部と、
前記加入者端末機との通信接続状態を検出し、検出結果に基づき接続または非接続信号を出力する加入者端末機接続状態検出手段とを備え、
前記加入者端末機接続状態検出手段は、前記加入者端末機からデータ伝送速度一致のための同期信号が入力されるかを検出し、前記同期信号の非入力状態が設定された時間に達すれば、前記非接続信号を発し、
前記第１インターフェースは、ＵＳＢ、ＰＮＡ、ブルートゥース、ホームＲＦのうちいずれか一つの通信方式で前記加入者端末機とインターフェーシングできるようになり、
前記第２インターフェースは、前記加入者端末機接続状態検出手段から前記非接続信号が入力されれば動作を中止して前記交換局装置との通信チャンネルを解除させることを特徴とするモデム。
【請求項１３】
ＵＳＢ、ＰＮＡ、ブルートゥース、ホームＲＦのうちいずれか一つの通信方式で加入者端末機とインターフェーシングするための第１インターフェースと、
交換局装置とインターフェーシングするための第２インターフェースと、
前記加入者端末機との通信接続状態を検出する加入者端末機接続状態検出手段と、
前記加入者端末機と前記交換局装置との間の両方向データ通信を処理する制御部とを具備するモデムの制御方法において、
前記加入者端末機との通信接続状態を判断する段階と、
前記接続判断段階で非接続状態と判断されれば、前記第２インターフェースの動作を中止させる段階とを含み、
前記接続判断段階は、前記加入者端末機からデータ伝送速度一致のための同期信号が入力されるかを検出し、前記同期信号の非入力状態が設定された時間に達すれば前記非接続状態と判断することを特徴とするモデムの制御方法。
【請求項１４】
前記動作中止段階は、前記第２インターフェースの電源供給を遮断させることを特徴とする請求項１３に記載のモデムの制御方法。
【請求項１５】
前記動作中止段階は、前記第２インターフェースが前記交換局装置とのチャンネル維持のための動作を中止するように前記第２インターフェースを制御することを特徴とする請求項１３に記載のモデムの制御方法。
【発明の詳細な説明】
【０００１】
【発明の属する技術分野】
本発明はモデム及びその制御方法に係り、さらに詳しくは加入者端末機と交換局装置との間に設けられ両方向にデータの送受信を処理するモデム及びその制御方法に関する。
【０００２】
【従来の技術】
一般使用者に高速の通信サービスを提供するための多様なネットワーク通信サービス技術が提供されている。
例えば、非対称デジタル加入者ライン(ＡＤＳＬ：Asymmetric Digital Subscriber Line)、ブルツース(blue tooth)、ＰＮＡ(Phoneline Network Alliance)のようなネットワーク通信サービス技術等が適用されている。
【０００３】
加入者向けモデムは加入者端末機と空中ネットワークとの接続を中継する交換局装置間に設けられ、加入者端末機と空中網との通信中継を行う。
ネットワーク通信サービス技術の一つのＡＤＳＬ(Asymmetric Digital Subscriber Line)サービス方式は、既存の電話線を介してデータを高速で伝送できる通信サービス技術である。ＡＤＳＬサービス方式は既存の電話線を利用できるという長所のため広く使われている。さらにＡＤＳＬは８Ｍｂｐｓ以上のダウンストリーム伝送速度と、１Ｍｂｐｓ以上のアップストリーム伝送速度を提供する。
【０００４】
物理的に、ＡＤＳＬは電話線が集中して管理される交換局装置のような中央サービス部分、加入者サービス部分及び中央サービス部分をデータバックボーン網に連結する部分とに大別される。
【０００５】
図１は一般のＡＤＳＬ通信サービスシステムにおいて加入者向けＡＤＳＬモデムを通じ加入者端末機とＡＴＭ交換局装置が接続されたことを示したブロック図である。
図面を参照すれば、加入者端末機１０がモデム３０を経て交換局装置２０に接続されている。
【０００６】
モデム３０は使用者コンピュータのような加入者端末機１０から受信されたデータを交換局装置２０で求める形式に変換して交換局装置２０に伝送する。また、モデム３０は交換局装置２０から受信されたデータを加入者端末機１０が求める形式に変換して加入者端末機１０へ出力する。
【０００７】
また、モデム３０は加入者端末機１０と交換局装置２０との両方向データの送受信をいつでも処理できるように、加入者端末機１０からのデータ受信と関係なく交換局装置２０と通信チャンネルを維持する。したがって、モデム３０は交換局装置２０とのチャンネルを維持するために一定間隔にチャンネル維持のための信号を送信し、交換局２０はチャンネル維持を確認させる信号をモデム３０へ伝送する。
【０００８】
しかし、このような従来のモデム３０は色々な問題点と短所を持っている。例えば、従来のモデム３０は加入者端末機１０が非接続状態、すなわち加入者端末機１０の電源がオフされたり、加入者端末機１０がモデム３０を経由した外部網との通信を行わない非接続状態が長期化されれば交換局装置２０とのチャンネル維持のための動作により必要以上に電力を消耗する短所がある。その結果、必要のない動作にともなう機器の寿命が縮まる短所がある。
【０００９】
さらに、従来のモデム３０の駆動方式は多数のモデム３０が接続された交換局装置２０にもその影響を及ぼす。
すなわち、多数の加入者端末機１０と接続された交換局装置２０は加入者端末機１０と非接続状態の多数の加入者モデム３０からチャンネル維持のための信号が入力されればこれを処理すべきなため、交換局装置２０の必要以上の電力損失をもたらし、通信回線の不要な占有により通信回線利用効率及び通信速度を制限させる。
【００１０】
【発明が解決しようとする課題】
本発明は前述した問題点を改善するために創案されたことであって、その目的は加入者端末機が非接続状態の時は交換局装置とのチャンネルを解除させて必要以上の電力消費を省けるモデム及びその制御方法を提供するところにある。
【００１１】
【課題を解決するための手段】
前述した目的を達成するために本発明に係るモデムは、加入者端末機とインターフェーシングするための第１インターフェースと、交換局装置とインターフェーシングするための第２インターフェース、及び前記加入者端末機と前記交換局装置との両方向データ通信を処理する制御部を具備するモデムにおいて、前記加入者端末機との通信接続状態を検出し、検出結果信号を出力する加入者端末機接続状態検出手段とを備え、前記制御部は前記加入者端末機接続状態検出手段から非接続信号が入力されれば前記第２インターフェースの動作が中止されるように前記第２インターフェースを制御する。
【００１２】
本発明の他の側面にともなうモデムは、前記加入者端末機との通信接続状態を検出し、検出結果に基づき接続または非接続信号を出力する加入者端末機接続状態検出手段と、前記接続または非接続信号の入力に応じて電源から前記第２インターフェースへの電力供給をオン/オフするようになったスイッチ素子を具備する。
【００１３】
また、本発明のさらに他の側面にともなうモデムは、前記加入者端末機との通信接続状態を検出し、検出結果に基づき接続または非接続信号を出力する加入者端末機接続状態検出手段を備え、前記第２インターフェースは前記加入者端末機接続状態検出手段から非接続信号が入力されれば動作を中止して前記交換局装置との通信チャンネルを解除させる。
【００１４】
望ましくは、前記加入者端末機接続状態検出手段は、前記加入者端末機から前記第１インターフェースに信号が受信されているかを検出し、信号の非受信状態が設定された時間に達すれば前記非接続信号を出力する。
また、前記加入者端末機接続状態検出手段は前記加入者端末機からデータ伝送速度一致のための同期信号が入力されるかを検出し、前記同期信号の非入力状態が設定された時間に達すれば前記非接続信号を発生することもできる。
【００１５】
そして、前述した目的を達成するために本発明に係るモデムの制御方法は、加入者端末機とインターフェーシングするための第１インターフェースと、交換局装置とインターフェーシングするための第２インターフェースと、前記加入者端末機と前記交換局装置との両方向データ通信を処理する制御部を具備するモデムの制御方法において、イ）前記加入者端末機との通信接続状態を判断する段階と、ロ）前記イ）段階で非接続状態と判断されれば前記第２インターフェースの動作を中止させる段階とを含む。
【００１６】
【発明の実施の形態】
以下、添付した図面を参照して本発明の望ましい実施形態をさらに詳しく説明する。
図２は本発明の第１実施形態にともなうモデムを示したブロック図である。
図面を参照すれば、加入者向けモデム４０は加入者端末機１２と交換局装置２２との間に接続されている。
【００１７】
モデム４０は第１インターフェース５０、第２インターフェース７０、加入者端末機接続状態検出部８０、記憶装置９０、制御部６０とを備える。
通信インターフェース１５は加入者端末機１２とモデム４０との間を連結する。
通信インターフェース１５及びモデム４０は適用される通信サービス方式及び適用される加入者端末機１２に適するデータ処理を行う。通信インターフェース１５は有線または無線通信インターフェースが適用される。
【００１８】
第１インターフェース５０は加入者端末機１２とデータ送受信を処理する。
第１インターフェース５０は、イーサネット（登録商標）、ＵＳＢ(universal serial bus)、ＰＮＡ(Phoneline Network Alliance)、ブルートゥース、無線ＬＡＮ(wireless LAN)、ホーム(Home)ＲＦのような通信方式を使用して加入者端末機１２とインターフェーシングできるようになっている。
【００１９】
第２インターフェース７０は交換局装置２２とデータ送受信を処理する。
記憶装置９０には設定された通信方式に対して両方向通信を支援するための各種プログラム、例えばブーティングプログラム、応用プログラム等が保存されている。
記憶装置９０は一つまたは多数のメモリで構成できる。望ましくは、記憶装置９０はブーティング及びアプリケーションが保存されるフラッシュメモリ、一時的なデータを保存するためのＲＡＭが設けられる。
【００２０】
加入者端末機接続状態検出手段の加入者端末機接続状態検出部８０は加入者端末機１２との通信接続状態を検出し、接続状態と判断されれば接続信号を、非接続状態と判断されれば非接続信号を出力する。
加入者端末機接続状態検出部８０は加入者端末機１２から第１インターフェース５０へ信号が受信されているかを検出し、信号の非受信状態が設定された時間に達すれば非接続信号を出力するように構成できる。
【００２１】
一例としては、加入者端末機接続状態検出部８０は加入者端末機１２からデータ伝送速度を同期させるための同期信号が入力されるかを検出し、前記同期信号の非入力状態が設定された時間に達すれば非接続信号を発する。
【００２２】
図３は本発明のモデムに適用される加入者端末機接続状態検出部の一例を示した図面である。
適用される通信インターフェース１５が通信ケーブルの場合、加入者端末機接続状態検出部８０は第１インターフェース５０と接続するためのコネクタが設けられた本体の引込溝上に通信ケーブルがコネクタに整合される時に通信ケーブルの干渉により接続信号を発させる。加入者端末機接続状態検出部８０は通信ケーブルがコネクタから分離される時非接続信号を出力する。すなわち、図３に示した通り、加入者端末機接続状態検出部の接続判断部８４は本体の引込溝上に通信ケーブル１５ａの整合位置を横切る方向に設けられた光源８２と光検出器８３を備える。光検出器８３の受光/非受光に対応する出力信号が接続及び非接続信号として利用される。
【００２３】
また、接続判断部８４は整合位置に引き込まれた通信ケーブル１５ａの接触により直接干渉され接続信号を発生するように設けられた接触スイッチにより接続または非接続信号を発させるように構成しても構わない。
制御部６０は第１インターフェース５０または第２インターフェース７０を通じて受信されたデータを分析及び処理する。
【００２４】
制御部６０は加入者端末機接続状態検出部８０から接続信号が受信されれば、正常な両方向データ処理を行い、非接続信号が入力されれば第２インターフェース７０の動作が中止されるように動作中止信号を第２インターフェース７０へ出力する。ここで、第２インターフェース７０は制御部６０と接続されたデータバス線とは違って、点線で表記された別の制御信号線を介して前記動作中止信号を入力されるように構成することもできる。この場合、第２インターフェース７０は動作中止または動作開始信号を制御部６０から入力されるための入力端子を含む。
【００２５】
制御部６０に制御される第２インターフェース７０は実線のデータバス線または点線の制御信号線を介して動作中止信号が入力されれば、交換局装置２２とのチャンネルを解除させる。すなわち、第２インターフェース７０は動作中止信号が入力されれば交換局装置２２にチャンネル維持のための信号の発送を行わない。
【００２６】
一方、第２インターフェース７０が制御部６０を経ないで、加入者端末機接続状態検出部８０の出力信号を直接に受けて動作中止及び動作を行うようにしても良い。
すなわち、加入者端末機接続状態検出部８０が点線で表記された経路を通じて第２インターフェース７０に接続信号または非接続信号を出力し、第２インターフェース７０は非接続信号が入力されれば動作を止める。
【００２７】
電源部(図示せず)は各要素に電力を供給する。
図４は本発明の第２実施形態にともなうモデム４０を示したブロック図である。
前述した図２に示されたことと類似した機能を働く要素は同一参照符号を付する。
【００２８】
図面を参照すれば、モデム４０は電源部９５から第２インターフェース７０につながる電力供給経路上に電力供給をオン/オフスイッチングするスイッチ素子８５を備える。
【００２９】
以下、加入者端末機接続状態検出部８０から出力される接続信号または非接続信号に直接または間接的に連動されスイッチ素子８５を制御する方式を説明する。
第１実施形態としては、加入者端末機接続状態検出部８０の出力信号が制御部６１に出力され、制御部６１がスイッチ素子８５を制御するように各要素を接続させる。この場合、非接続信号が発すれば、制御部６１はスイッチ素子８５がオフされるように制御して第２インターフェース７０への電力供給を遮断させる。
【００３０】
第２実施形態としては、加入者端末機接続状態検出部８０の出力信号に応じて直接スイッチ素子８５がオン/オフされるように各要素を接続させる。この場合、制御部６１の関与なしで第２インターフェース７０は加入者端末機接続状態検出部８０の出力信号に応じてその電力供給がオン/オフされる。
【００３１】
図面において、参照文字ａ、ｂ、ｃ、ｄ、eは対応する参照符号が表記された各要素であって、電源部９５から延びた電力供給線を表す。
一方、本発明に係るモデム４０がＡＤＳＬ通信サービスシステムに適用された場合の例が図５に示されている。
【００３２】
図面を参照すれば、モデム４０の第１インターフェース５０はマッチング回路部５１、イーサネット（登録商標）トランシーバ５２を備える。
マッチング回路部５１は加入者端末機１２との通信インターフェース１５に対するインピーダンスを整合させるように構成される。前記マッチング回路部５１にはノイズを除去するためのフィルタ回路(図示せず)が採用されることが望ましい。
【００３３】
イーサネット（登録商標）トランシーバ５２は加入者端末機１２とイーサネット（登録商標）データパケットを送受信処理する。
第２インターフェース７０はモデム信号処理部７１とモデム信号送受信部７２を備える。
モデム信号処理部７１は制御部６２またはＡＴＭ交換局装置２２の各々で求めるフレーム形式に適するように受信されたＡＴＭセルを変換して該当伝送経路へ出力する。
【００３４】
モデム信号送受信部７２はモデム信号処理部７１から受信されたデジタル信号をアナログ信号に変換して交換局装置２２へ出力し、交換局装置２２から受信されたアナログ信号をデジタル信号に変換してモデム信号処理部７１へ出力する。
本体の外側に設けられた発光素子９７は使用者認識のための接続状態表示用である。
【００３５】
スイッチ素子９９は電源Ｖｃｃから発光素子９７への電力供給をオン/オフスイッチングできるようになっている。
イーサネット（登録商標）トランシーバ５２内に設けられ加入者端末機接続状態検出手段として適用された同期信号検出部５３は加入者端末機１２から受信されたイーサネット（登録商標）データパケット内に伝送速度一致のためのプリアンブル領域の同期信号を検出して正常な通信が可能であるかを判断し、判断結果信号を出力する。
【００３６】
前記同期信号検出部５３の出力信号、すなわち接続信号または非接続信号は前述した間接制御方式または直接制御方式のうちいずれか一つの適用された方式に従って、制御部６２または第２インターフェース７０へ出力される。また、同期信号検出部５３の出力信号は発光素子９７の制御用スイッチ素子９９へも出力される。
【００３７】
したがって、同期信号検出部５３から接続信号が入力されれば、スイッチ素子９９のオンにより発光素子が発光し、各部により加入者端末機１２とＡＴＭ交換局装置２２との正常なデータ通信が行われる。
また、同期信号検出部５３から非接続信号が入力されれば、スイッチ素子９９のオフにより発光素子９７がオフし、第２インターフェース７０の動作が中止されることもある。
【００３８】
図５においては第２インターフェース７０の接続有無に対する制御信号を受けてその駆動を中止できる回路が示されている。また図４のように非接続信号に応じて電源部から第２インターフェース７０に電力供給が遮断されるように構成できることもできる。
【００３９】
また、接続状態表示用発光素子９９のオン/オフが加入者端末機接続状態検出部８０の出力信号により制御できる構成は、前述した図２及び図３にも適用できることは勿論である。
【００４０】
以下、図６ないし図７を参照して本発明に係るモデムの制御方法を説明する。
図６（Ａ）及び図６（Ｂ）は本発明の実施形態にともなうモデム制御過程を示したフローチャートであり、図７は図６（Ａ）及び図６（Ｂ）における加入者端末機接続状態検出過程の一例を示したフローチャートである。
【００４１】
まず、電源が入力されればモデム４０は初期化過程を行う(段階２００)。
初期化過程はブーティングプログラムを行い、実行プロトコルスタック上にデータ処理を行えるように記憶装置に保存された応用プログラムをローディングさせる一連の過程を含む。望ましくは、初期化過程で第２インターフェース７０の駆動は停止させる。
【００４２】
初期化過程が完了すれば、加入者端末機１２の接続状態を段階３００で検出する。
加入者端末機接続状態の検出段階の例を示した図７を参照すれば、まず加入者端末機１２から同期信号が入力されたかを判断する(段階３１０)。
段階３１０において同期信号が入力されたことと判断されれば、接続信号を発させる(段階３２０)。そして、カウンターをリセットさせる(段階３３０)。
【００４３】
これとは違って、同期信号が入力されていないことと判断されれば、時間をカウントする(段階３４０)。
カウントされた時間(ｔ)が非接続判断用と設定された時間(Ｔ)に至ったかを判断する(段階３５０)。
【００４４】
カウントされた時間(ｔ)が設定された時間(Ｔ)に至っていなければ、段階３１０に復帰する。
段階３５０でカウントされた時間(ｔ)が非接続判断用と設定された時間(Ｔ)に到達したならば、接続信号を非接続信号に変更して発し時間カウントを中止する(段階３６０)。段階３６０以降は段階３１０に復帰する。このような一連の過程は電源が印加されている間は行い続ける。
【００４５】
一方、図６（Ａ）及び図６（Ｂ）に復帰して段階３００での接続状態検出結果情報から接続状態を判断する(段階４００)。
段階４００で正常接続と判断されれば、第２インターフェース７０の活性化、すなわち駆動開始及び交換局装置２２との通信チャンネルを形成させるチャンネルセットアップ作業を行う(段階６００)。
【００４６】
そして、交換局装置２２との通信チャンネルがセットアップされれば、加入者端末機１２と交換局装置２２との両方向データ通信を処理するための正常な動作を行う(段階７００)。
ところが、段階４００または段階８００で非接続状態と判断されれば、第２インターフェース７０の動作を中止させる(段階５００)。
【００４７】
図６（Ｂ）のように、第２インターフェース７０の動作を中止させた後段階９００で接続状態と判断されれば段階６００に復帰する。
【００４８】
【発明の効果】
以上述べた通り、本発明に係るモデム及びその制御方法によれば、加入者端末機との通信接続状態が非接続状態の時交換局装置との通信チャンネルを解除するように動作することによって、必要以上の電力消耗を抑えられて機器の寿命を延ばせる。また、このような加入者モデムの動作は多数の加入者モデムに対する通信サービスを支援する交換局装置の必要以上の回線使用が抑制され交換局装置の電力節減及び全体通信システムのデータ処理速度を向上させる波及効果を奏する長所がある。
【００４９】
本発明は前述した特定の望ましい実施形態に限らず、請求範囲で請求する本発明の要旨を逸脱せず当該発明の属する技術分野において通常の知識を持つ者ならば誰でも多様な変形実施が可能なことは勿論、そのような変更は記載された請求範囲内にある。
【図面の簡単な説明】
【図１】  一般のＡＤＳＬ通信サービスシステムにおいてＡＤＳＬモデムを通じて加入者端末機とＡＴＭ交換局装置が接続されたことを示したブロック図である。
【図２】  本発明の第１実施形態にともなうモデムを示したブロック図である。
【図３】  本発明のモデムに適用される加入者端末機接続状態検出部の一例を示した図である。
【図４】  本発明の第２実施形態にともなうモデムを示したブロック図である。
【図５】  本発明の第３実施形態にともなうモデムを示したブロック図である。
【図６】  （Ａ）は本発明の一実施形態にともなうモデム制御過程を示したフローチャートであり、（Ｂ）は本発明の他の実施形態にともなうモデム制御過程を示したフローチャートである。
【図７】  図５の加入者端末機接続状態検出過程の一例を示したフローチャートである。
【符号の説明】
１２  加入者端末機
１５  通信インターフェース
１５ａ  通信ケーブル
２２  交換局装置
４０  モデム
５０  第１インターフェース
６０  制御部
７０  第２インターフェース
８０  加入者端末機接続状態検出部
８２  光源
８３  光検出器
８４  接続判断部
９０  記憶装置
【図１】
0004290901.tif 000002
【図２】
0004290901.tif 000003
【図３】
0004290901.tif 000004
【図４】
0004290901.tif 000005
【図５】
0004290901.tif 000006
【図６】
0004290901.tif 000007
【図７】
0004290901.tif 000008